(57)【要約】【課題】大根等を円形に動かして調理するおろし器において、切れ味に優れるようにする。【解決手段】平板部１のほぼ中央を中心とした仮想円８の一方の周方向に第１の凸部６に形成した第１の刃部６Ａを対向して形成する。第１の凸部６に隣接して第２の前記凸部７を設けると共に、この第２の凸部７に形成した第２の刃部７Ａを前記仮想円８の他方の周方向に対向して形成する。平板部１のほぼ中央を中心Ｏとして大根Ｄを平板部１に当てるようにして一方へ回すことにより、第１の刃部６Ａにより大根Ｄを切りおろして、切れ味に優れ美味しい大根Ｄのおろしを調理することができる。また大根Ｄを平板部１に当てるようにして他方へ回すことによっても、第２の刃部７Ａにより大根Ｄを切りおろすことができる。【選択図】　　　図１
0003098916.tif 000002
【実用新案登録請求の範囲】
【請求項１】
平板部上に凸部を並設したおろし器において、前記平板部のほぼ中央を中心とした仮想円の周方向の一方に第１の前記凸部に形成した第１の刃部を対向して形成したことを特徴とするおろし器。
【請求項２】
前記第１の凸部に隣接して第２の前記凸部を設けると共に、この第２の凸部に形成した第２の刃部を前記仮想円の周方向の他方に対向して形成したことを特徴とする請求項１記載のおろし器。
【請求項３】
前記凸部は、略菱形又は略矩形状の薄板片であって、該薄板片は前記平板部に接続する両側底辺の両端より上方へ突設する両側突辺を備えると共に前記両側底辺のほぼ中央から両側突辺のほぼ中央にかけて形成した尾根部の頂部をほぼ前記周方向に向けて形成し、かつ前記突辺により前記刃部を形成したことを特徴とする請求項１又は２記載のおろし器。
【請求項４】
前記凸部に対向する前記平板部の部位に凹部が形成され、該凹部の基端側の幅を前記凸部の幅とほぼ同じに形成すると共に先端を細く形成していることを特徴とする請求項１〜３のいずれか１項に記載のおろし器。
【請求項５】
前記凸部は前記平板部上に複数配置されると共に、この複数の前記凸部は前記中心の複数の同心仮想円のそれぞれの仮想円の周方向に沿って並設していることを特徴とする請求項１〜４のいずれか１項に記載のおろし器。
【考案の詳細な説明】
【０００１】
【考案の属する技術分野】
本考案は、大根などをすりおろすおろし器に関する。
【０００２】
【従来の技術】
従来、この種のものとして平板部上に円錐形状の凸部を間隔をおいて並設し、大根を凸部に押し当てて前後左右或いは円状に動かすことにより、大根おろしを調理することができるおろし器が公知である（例えば特許文献１）。
【０００３】
【特許文献１】
実開平５−１８４４３号公報
【０００４】
【考案が解決しようとする課題】
前記従来技術においては、前後左右に大根を動かす際には、大根を一方に移動した後にいったん止めて他方に動かすことを繰り返すものであるが、大根を動かす動きがいったん止まるので効率が低くなるという問題がある。これに対して大根を円状に動かして調理する場合は、大根をいったん止める必要がなく効率的である。
【０００５】
しかしながら、従来技術のおろし器においては、凸部が円錐形状であるので、大根は凸部に押圧し大根を押し潰すようにして調理されることとなり、切れ味が悪いという問題がある。
【０００６】
そこで、本考案は、大根等を円形に動かして調理するおろし器において、切れ味に優れるおろし器を提供することを目的とする。
【０００７】
【課題を解決するための手段】
請求項１の考案は、平板部上に凸部を並設したおろし器において、前記平板部のほぼ中央を中心とした仮想円の周方向の一方に第１の前記凸部に形成した第１の刃部を対向して形成したことを特徴とするおろし器である。
【０００８】
この請求項１の構成によれば、平板部のほぼ中央を中心として大根等を平板部に当てるようにして一方へ回すことにより、第１の刃部により大根等を切りおろすことができる。
【０００９】
請求項２の考案は、前記第１の凸部に隣接して第２の前記凸部を設けると共に、この第２の凸部に形成した第２の刃部を前記仮想円の周方向の他方に対向して形成したことを特徴とする請求項１記載のおろし器である。
【００１０】
この請求項２の構成によれば、平板部のほぼ中央を中心として大根等を平板部に当てるようにして他方へ回すことによっても、第２の刃部により大根等を切りおろすことができる。
【００１１】
請求項３の考案においては、前記凸部は、略菱形又は略矩形状の薄板片であって、該薄板片は前記平板部に接続する両側底辺の両端より上方へ突設する両側突辺を備えると共に前記両側底辺のほぼ中央から両側突辺のほぼ中央にかけて形成した尾根部の頂部をほぼ前記周方向に向けて形成し、かつ前記突辺により前記刃部を形成したことを特徴とする請求項１又は２記載のおろし器である。
【００１２】
この請求項３の構成によれば、平板部のほぼ中央を中心として大根等を平板部に当てるようにして回すことにより、大根等は突辺による刃部により切られると共に、突辺と平板部の間より排出される。
【００１３】
請求項４の考案は、前記凸部に対向する前記平板部の部位に凹部が形成され、該凹部の基端側の幅を前記凸部の幅とほぼ同じに形成すると共に先端を細く形成していることを特徴とする請求項１〜３のいずれか１項に記載のおろし器である。
【００１４】
この請求項４の構成によれば、大根等が突辺による刃部により切られて排出される際、凹部に切りおろされた大根等が凹部にもぐりこむようになる。
【００１５】
請求項５の考案においては、前記凸部は前記平板部上に複数配置されると共に、この複数の前記凸部は前記中心の複数の同心仮想円のそれぞれの仮想円の周方向に沿って並設していることを特徴とする請求項１〜４のいずれか１項に記載のおろし器である。
【００１６】
この請求項５の構成によれば、大根等を回すと複数の凸部により同時に調理することができる。
【００１７】
【考案の実施形態】
以下、本考案の実施形態を添付図を参照して説明する。おろし器は、円盤状の平板部１を設けたおろし器本体２と、このおろし器本体２が上部開口３に嵌合する容器４とからなる。おろし器本体２の平板部１の縁側には該縁に沿って細長な窓孔５が形成されており、平板部１上における窓孔５の内側におろし用の凸部６，７が並設している。
【００１８】
前記凸部６，７は、例えば大根Ｄを時計方向回りＡに回すことにより大根Ｄをおろす第１の凸部６と、大根Ｄを反時計方向回りＢに回すことにより大根Ｄをおろす第２の凸部７とを備えている。第１の凸部６は円盤状の平板部１の中央を中心Ｏとした多重な同心の複数仮想円のそれぞれの仮想円８の周方向に沿って配置されている。同様に第２の凸部７は第１の凸部６の仮想円８の時計方向回りＡ側に隣接するようにして中心Ｏとした多重な同心の複数仮想円のそれぞれの仮想円８の周方向に沿って配置されている。
【００１９】
前記第１の凸部６には第１の刃部６Ａが形成されており、この第１の刃部６Ａは前記仮想円８の一方の周方向、すなわち時計方向回りＡに対向するように配置されている。一方前記第２の凸部７には第２の刃部７Ａが形成されており、この第２の刃部７Ａは前記仮想円８の他方の周方向、すなわち反時計方向回りＢに対向するように配置されているものである。
【００２０】
さらに、第１の凸部６について詳述すると、第１の凸部６は、略菱形の薄板片９であって、該薄板片９は前記平板部１に接続する両側底辺１０の両端より上方へ突設する両側突辺１１，１１Ａを備える。さらに両側底辺１０，１０Ａの中央１０Ｂから両側突辺１１，１１Ａの中央１１Ｂにかけて形成した尾根部１２の頂部、すなわち前記中央１１Ｂをほぼ前記仮想円８の周方向に向けて形成している。尚、ここで尾根部１２をほぼ前記仮想円８の周方向に向けて形成するとは、尾根部１２のの頂部、すなわち前記中央１１Ｂの方向と仮想円８の周方向との交差内角θが９０°より小さいことをいう。そして両側突辺１１，１１Ａにより前記第１の刃部６Ａを形成している。同様に、第２の凸部７も、略菱形の薄板片１３であって、該薄板片１３は前記平板部１に接続する両側底辺１４，１４Ａの両端より上方へ突設する両側突辺１５，１５Ａを備え、尾根部１６をほぼ前記仮想円８の周方向に向けて形成している。さらに、第１の凸部６に対向して平板部１に第１の凹部１７が形成される。この凹部１７は、平板部１に鋭利な工具１８を刺し込んで切り起すことにより前記第１の凸部６を形成したときの跡として形成されるものである。したがって第１の凹部１７の基端側の幅Ｗは前記凸部６の幅、すなわち両側底辺１０，１０Ａの両端間距離とほぼ同じに形成されと共に先端１９を細く形成しているものである。第２の凸部７及び第２の凹部２０も、第１の凸部６及び第１の凹部１７と同様に形成されるものである。
【００２１】
次に前記構成についてその作用を説明する。例えば大根おろしを調理する場合は、大根Ｄを平板部１に当てるようにして時計方向回りＡに回すと、大根Ｄは、両側突辺１１，１１Ａからなる第１の刃部６Ａにより切断され、そして切断された大根Ｄは両側突辺１１，１１Ａと平板部１との間を通っていったん第１の凹部１７にもぐりこんでから平板部１にあらわれる。そして、窓孔５より容器４へ収容されるものである。一方、大根Ｄを平板部１に当てるようにして反時計方向回りＢに回すと、大根Ｄは、両側突辺１５，１５Ａからなる第２の刃部７Ａにより切断され、そして切断された大根Ｄは両側突辺１５，１５Ａと平板部１との間を通っていったん第２の凹部１９にもぐりこんでから平板部１にあらわれ、そして、窓孔５より容器４へ収容される。
【００２２】
以上のように、請求項１に対応して、平板部１のほぼ中央を中心とした仮想円８の一方の周方向に第１の凸部６に形成した第１の刃部６Ａを対向して形成し、平板部１のほぼ中央を中心Ｏとして大根Ｄを平板部１に当てるようにして一方へ回すことにより、第１の刃部６Ａにより大根Ｄを切りおろして、切れ味に優れ美味しい大根Ｄのおろしを調理することができる。
【００２３】
また、請求項２に対応して、第１の凸部６に隣接して第２の前記凸部７を設けると共に、この第２の凸部７に形成した第２の刃部７Ａを前記仮想円８の他方の周方向に対向して形成したことにより、大根Ｄを平板部１に当てるようにして他方へ回すことによっても、第２の刃部７Ａにより大根Ｄを切りおろすことができる。
【００２４】
さらに請求項３に対応して、前記凸部６，７は、略菱形の薄板片９，１３であって、該薄板片９，１３は前記平板部１に接続する両側底辺１０，１０Ａ、１４，１４Ａの両端より上方へ突設する両側突辺１１，１１Ａ、１５，１５Ａを備えると共に前記両側底辺１０，１０Ａ、１４，１４Ａの中央１０Ｂから両側突辺１１，１１Ａ、１５，１５Ａの中央１１Ｂにかけて形成した尾根部１２，１６の頂部、すなわち中央１１Ｂをほぼ前記周方向に向けて形成し、かつ前記突辺１１，１１Ａ、１５，１５Ａにより前記刃部６Ａ，７Ａを形成したことにより、大根Ｄは突辺１１，１１Ａ、１５，１５Ａによる刃部６Ａ，７Ａにより切られると共に、突辺１１，１１Ａ、１５，１５Ａと平板部１の間より目詰まりなく排出することができる。
【００２５】
しかも、請求項４に対応して、前記凸部６，７に対向して前記平板部１の部位に凹部１７，１９成され、該凹部１７，２０の基端側の幅Ｗ前記凸部の幅６，７とほぼ同じに形成すると共に先端１９を細く形成していることで、大根Ｄが突辺１１，１１Ａ、１５，１５Ａによる刃部６Ａ，７Ａにより切られて排出される際、凹部１７，１９に切りおろされた大根Ｄが凹部にもぐりこむようになり、大根Ｄのおろしが押し潰され難くなる。
【００２６】
また、請求項５に対応して、前記凸部６，７は前記平板部１上に複数配置されると共に、この複数の前記凸部６，７は前記中心Ｏの多重な同心の複数仮想円のそれぞれの仮想円８の周方向に沿って並設しているので、大根Ｄを回すと複数の凸部６，７により同時に効率好く調理を行なうことができる。
【００２７】
尚、本考案は上記実施形態に限定されるものではなく、本考案の要旨の範囲内において、種々の変形実施が可能である。例えば薄板片は略矩形状であってもよい。また前記尾根部は、前記両側底辺のほぼ中央から両側突辺のほぼ中央にかけて形成してもよい。
【００２８】
【考案の効果】
請求項１の考案は、平板部上に凸部を並設したおろし器において、前記平板部のほぼ中央を中心とした仮想円の周方向の一方に第１の前記凸部に形成した第１の刃部を対向して形成したことを特徴とするおろし器であり、第１の刃部により大根等を切りおろすことにより切れ味に優れ美味しい大根等のおろしを調理することができる。
【００２９】
請求項２の考案は、前記第１の凸部に隣接して第２の前記凸部を設けると共に、この第２の凸部に形成した第２の刃部を前記仮想円の周方向の他方に対向して形成したことを特徴とする請求項１記載のおろし器であり、第１、２のいずれの刃部により大根等を切りおろすことにより切れ味に優れ簡単に美味しい大根等のおろしを調理することができる。
【００３０】
請求項３の考案においては、前記凸部は、略菱形又は略矩形状の薄板片であって、該薄板片は前記平板部に接続する両側底辺の両端より上方へ突設する両側突辺を備えると共に前記両側底辺のほぼ中央から両側突辺のほぼ中央にかけて形成した尾根部の頂部をほぼ前記周方向に向けて形成し、かつ前記突辺により前記刃部を形成したことを特徴とする請求項１又は２記載のおろし器であり、切りおろされた大根等を目詰まりなく排出することができる。
【００３１】
請求項４の考案は、前記凸部に対向する前記平板部の部位に凹部が形成され、該凹部の基端側の幅を前記凸部の幅とほぼ同じに形成すると共に先端を細く形成していることを特徴とする請求項１〜３のいずれか１項に記載のおろし器であり、大根等が切りおろされた後に凹部にいったんもぐりこむことにより大根等のおろしが押し潰され難くなり、美味し大根等のおろしを調理することができる。
【００３２】
請求項５の考案においては、前記凸部は前記平板部上に複数配置されると共に、この複数の前記凸部は前記中心の複数の同心仮想円のそれぞれの仮想円の周方向に沿って並設していることを特徴とする請求項１〜４のいずれか１項に記載のおろし器であり、効率好く調理を行なうことができる。
【図面の簡単な説明】
【図１】本考案の一実施形態を示す分解斜視図である。
【図２】本考案の一実施形態を示す要部の平面図である。
【図３】本考案の一実施形態を示す要部の斜視図である。
【図４】本考案の一実施形態を示す要部の断面図である。
【符号の説明】
１　平板部
６　第１の凸部
６Ａ　第１の刃部
７　第２の凸部
７Ａ　第２の刃部
８　仮想円
９，１３　薄板片
１０，１０Ａ，１４，１４Ａ　底辺
１１，１１Ａ，１５，１５Ａ　突辺
１１Ｂ　中央（頂部）
１２　１６　尾根部
１７，２０　凹部
１９　先端
Ａ　時計方向回り（一方の周方向）
Ｂ　反時計方向回り（他方の周方向）
Ｗ　幅
【図１】
0003098916.tif 000003
【図２】
0003098916.tif 000004
【図３】
0003098916.tif 000005
【図４】
0003098916.tif 000006